【手続補正書】
【提出日】平成22年2月2日(2010.2.2)
【手続補正１】
【補正対象書類名】特許請求の範囲
【補正対象項目名】全文
【補正方法】変更
【補正の内容】
【特許請求の範囲】
【請求項１】
液晶表示パネルと、この液晶表示パネルの周辺の一部に接続される半導体装置とを備え、
前記液晶表示パネルは、液晶を介して対向配置される一対の基板のうち一方の基板に、各画素を駆動させるための各種信号を供給する複数の信号線を備え、これら各信号線のうち基準電圧信号が供給されるコモンバスラインを有し、
前記半導体装置はフレキシブル基板に半導体チップが搭載されて構成され、少なくとも、前記フレキシブル基板には前記半導体チップを介して前記液晶表示パネルの前記信号線に信号を供給するための端子に導く配線を備え、
前記液晶表示パネルの前記コモンバスラインへの基準電圧信号の供給は、少なくとも前記半導体装置のフレキシブル基板に形成されたコモン配線を介してなされ、
当該フレキシブル基板上のコモン配線は、前記半導体チップの搭載領域外の領域、及び前記半導体チップの搭載領域を横切る領域のそれぞれに形成されることを特徴とする液晶表示装置。
【請求項２】
前記フレキシブル基板上のコモン配線は、前記半導体チップの搭載領域の両脇と前記半導体チップの搭載領域内の３本が形成されることを特徴とする請求項１に記載の液晶表示装置。
【請求項３】
前記フレキシブル基板と前記コモンバスラインは、少なくとも３本のコモン配線で接続されていることを特徴とする請求項１に記載の液晶表示装置。
【請求項４】
前記半導体チップは映像信号駆動回路からなり、
走査信号駆動回路を搭載した前記フレキシブル基板は、基準電圧信号の入出力を行う少なくとも３箇所のコモン配線接続端を備えたことを特徴とする請求項１に記載の液晶表示装置。
【請求項５】
前記走査信号駆動回路を搭載した前記フレキシブル基板は、前記液晶表示パネルの対向する２辺のそれぞれに接続されることを特徴とする請求項４に記載の液晶表示装置。
【請求項６】
前記半導体チップは映像信号駆動回路からなり、
当該映像信号駆動回路を搭載した前記フレキシブル基板は、前記液晶表示パネルに近接して配置されるプリント基板の間に跨って配置され、
前記フレキシブル基板には、前記プリント基板側からの基準電圧信号を入力する少なくとも３本箇所のコモン入力接続端と、前記液晶表示パネルへ基準電圧信号を出力する少なくとも３箇所のコモン出力接続端を備えていることを特徴とする請求項１に記載の液晶表示装置。
【請求項７】
前記フレキシブル基板のコモン配線と前記コモンバスラインとの間の前記基板上に、基準電圧信号を供給する表示領域外コモン配線を備え、前記複数の半導体装置の前記表示領域外コモン配線間を相互に接続する第２のコモンバスラインを備えたことを特徴とする請求項１に記載の液晶表示装置。
【請求項８】
前記第２のコモンバスラインは、前記半導体チップの搭載領域を横切る領域に形成されたコモン配線と接続されないことを特徴とする請求項７に記載の液晶表示装置。
【手続補正２】
【補正対象書類名】明細書
【補正対象項目名】００３８
【補正方法】変更
【補正の内容】
【００３８】
この実施例では、図中左側の前記各半導体装置ＣＨ（Ｖ）への前記制御回路（Ｔ−ＣＯＮ）からの信号供給は、前記プリント基板ＰＣＢ１、液晶表示パネルＰＮＬの基板ＳＵＢ１の図中左側の面に形成されたＬＯＢ（Line On Glass）配線（図示せず）を介してなされるようになっている。同様に、図中右側の前記各半導体装置ＣＨ（Ｖ）への前記制御回路（Ｔ−ＣＯＮ）からの信号供給は、前記プリント基板ＰＣＢ２、液晶表示パネルＰＮＬの基板ＳＵＢ１の図中右側の面に形成されたＬＯＢ（Line On Glass）配線（図示せず）を介してなされるようになっている。このため、走査信号駆動回路である半導体装置ＣＨ（Ｖ）にあっては、映像信号駆動回路である半導体装置ＣＨ（Ｈ）とは異なりプリント基板（図１のプリント基板ＰＣＢ１、ＰＣＢ２に相当する）を備えていない構成となっている。
【手続補正３】
【補正対象書類名】明細書
【補正対象項目名】００４８
【補正方法】変更
【補正の内容】
【００４８】
再び、図１に戻り、図示しない前記制御回路（Ｔ−ＣＯＮ）から供給される基準電圧信号は、該プリント基板ＰＣＢ１に形成されたコモン配線ＣＷ１、このプリント基板ＰＣＢ１と液晶表示パネルＰＮＬとの間に跨って配置された映像信号駆動回路の各半導体装置ＣＨ（Ｈ）に形成されたコモン配線ＣＷ２、液晶表示パネルＰＮＬの基板ＳＵＢ１の表面に形成されたコモン配線ＣＷ３を順次介して、前記コモンバスラインＣＢＬに導かれるようになっている。また、プリント基板ＰＣＢ２側においても上述したと同様の構成となっている。なお、前記コモン配線ＣＷ１、ＣＷ２、ＣＷ３は、前記半導体装置ＣＨ（Ｈ）をプリント基板ＰＣＢ１と液晶表示パネルＰＮＬとの間に配置させた場合に、該半導体装置ＣＨ（Ｈ）の各端子（図中正方枠で示し、図３の符号ＩＴ、ＯＴに相当する）を通して、互いに電気的に接続されるようになっている。
【手続補正４】
【補正対象書類名】明細書
【補正対象項目名】００６０
【補正方法】変更
【補正の内容】
【００６０】
なお、この実施例では、液晶表示パネルＰＮＬの下側辺に沿う位置に、コモン配線ＣＷ８が形成され、その一端は図中左側の半導体装置ＣＨ（Ｖ）に接続されるコモン配線ＣＷ５のうち該コモン配線ＣＷ８に近い側のコモン配線ＣＷ５に接続され、他端は図中右側の半導体装置ＣＨ（Ｖ）に接続されるコモン配線ＣＷ５のうち該コモン配線ＣＷ８に近い側のコモン配線ＣＷ５に接続されている。基準電圧信号を液晶表示パネルＰＮＬの下側辺にまで及んで引き回すためである。
【手続補正５】
【補正対象書類名】明細書
【補正対象項目名】００６２
【補正方法】変更
【補正の内容】
【００６２】
また、液晶表示パネルＰＮＬの上側辺に沿う位置に、コモン配線ＣＷ１０が形成される。コモン配線ＣＷ１０は、各半導体装置ＣＨ（Ｈ）間のコモン配線ＣＷ３の間に接続されている。
【手続補正６】
【補正対象書類名】明細書
【補正対象項目名】００７６
【補正方法】変更
【補正の内容】
【００７６】
なお、前記半導体チップＣＰが搭載されるフレキシブル基板ＦＢの表面には該半導体チップＣＰを被って樹脂材が塗布されているが、図３においては、その樹脂材の描画を省略して示している。
【手続補正７】
【補正対象書類名】明細書
【補正対象項目名】００８６
【補正方法】変更
【補正の内容】
【００８６】
このため、前記半導体装置ＣＨ（Ｖ）には、映像信号駆動回路である前記半導体装置ＣＨ（Ｈ）と同様に、図３に示した構成が採用され、プリント基板ＰＣＢ３あるいはＰＣＢ４側からの信号を入力させる入力端子ＩＴを備えたものとなっている。
【手続補正８】
【補正対象書類名】明細書
【補正対象項目名】００８７
【補正方法】変更
【補正の内容】
【００８７】
すなわち、少なくとも、プリント基板ＰＣＢ３にはコモン配線ＣＷ１１が形成され、このコモン配線ＣＷ１１を介して半導体装置ＣＨ（Ｖ）上の各コモン配線（図３のコモン配線ＣＷ４に相当する）に基準電圧信号が供給され、プリント基板ＰＣＢ４にはコモン配線ＣＷ１２が形成され、このコモン配線ＣＷ１２を介して半導体装置ＣＨ（Ｖ）の各コモン配線（図３のコモン配線ＣＷ４に相当する）に基準電圧信号が供給されるようになっている。
【手続補正９】
【補正対象書類名】明細書
【補正対象項目名】００８８
【補正方法】変更
【補正の内容】
【００８８】
このことから、図１とは異なり、プリント基板ＰＣＢ１あるいはＰＣＢ２から液晶表示パネルＰＮＬ側へ各種信号および基準電圧信号を導く配線（たとえば、コモン配線ＣＷ６、ＣＷ７）を形成することのない構成とすることができる。
【手続補正１０】
【補正対象書類名】図面
【補正対象項目名】図４
【補正方法】変更
【補正の内容】
【図４】
2008287038.tif 000001